(57)【要約】【課題】用紙カセットから送り出された記録用紙を湾曲反転させる湾曲反転経路と、記録の行われた記録用紙を反転させる為の湾曲反転経路とを兼用する構成を採用する記録装置において、紙ジャム発生時の用紙除去作業をより一層容易に行う。【解決手段】湾曲反転ユニット３は、湾曲反転経路２１の構成部材である反転ローラー２２、リタードローラー２３、中間ローラー２４、ガイド部材２５、２６、のこれらを含み、更にこれら構成部材の周辺部材も含めてユニット化され、インクジェットプリンターの装置本体から取り外し可能であるので、紙ジャムが生じた場合に詰まった紙を容易に除去することができる。また湾曲反転経路２１と接続する用紙搬送経路が開口部１ｂの内側に露呈するので、装置の奥深い位置で紙ジャムが発生しても、詰まった紙を容易に取り除くことができる。【選択図】図５
2010253754.tif 000002
【特許請求の範囲】
【請求項１】
被記録媒体に記録を行う記録装置であって、
被記録媒体を収容する被記録媒体収容部と、
前記被記録媒体収容部から送り出された被記録媒体が経由し、或いは被記録媒体に記録を行う記録部により記録の行われた被記録媒体が再び経由する搬送経路であって、被記録媒体を湾曲反転させて前記記録部の側へと案内する湾曲反転経路と、を備え、
前記湾曲反転経路の構成部材がユニット化されて前記記録装置に対して着脱可能に設けられ、当該湾曲反転経路を有するユニットを取り外すことにより前記湾曲反転経路と接続する被記録媒体の搬送経路が露呈する構成を備えている、
ことを特徴とする記録装置。
【請求項２】
請求項１に記載の記録装置において、前記ユニットが開閉可能なカバーを備え、当該カバーを開放することにより前記湾曲反転経路が露呈する構成を備えている、
ことを特徴とする記録装置。
【請求項３】
請求項２に記載の記録装置において前記カバーは、前記ユニットの前記記録装置への装着時に前記記録装置内部に入り込む位置に設けられている、
ことを特徴とする記録装置。
【請求項４】
請求項１から３のいずれか１項に記載の記録装置において、前記湾曲反転経路は、その内側が反転ローラーの外周面により形成され、被記録媒体が前記反転ローラーに巻回されて湾曲反転される構成を有し、
前記湾曲反転経路には、前記反転ローラーとの間で被記録媒体をニップするニップローラーが設けられ、
前記反転ローラーと前記ニップローラーとの圧接状態を維持したまま前記ユニットが取り外し可能に構成されている、
ことを特徴とする記録装置。
【請求項５】
請求項１から４のいずれか１項に記載の記録装置において、前記湾曲反転経路と前記記録部との間に、被記録媒体を搬送する搬送手段を備え、
前記ユニットは、前記記録装置の後部に設けられた開口部に対し着脱自在に設けられ、
前記湾曲反転経路と接続する被記録媒体の搬送経路のうち少なくとも一つは、前記搬送手段と前記湾曲反転経路とを接続し、前記ユニットの取り外しによって前記開口部の内側に露呈する、
ことを特徴とする記録装置。
【請求項６】
請求項５に記載の記録装置において、前記搬送手段と前記湾曲反転経路とを接続する搬送経路は略直線状の経路であって、前記ユニットの取り外しによってその全領域が露呈する構成を備えている、
ことを特徴とする記録装置。
【発明の詳細な説明】
【技術分野】
【０００１】
本発明は、ファクシミリやプリンター等に代表される記録装置に関し、特に被記録媒体を反転させることにより両面に記録が可能な記録装置に関する。
【背景技術】
【０００２】
ファクシミリやインクジェットプリンターなどに代表される記録装置においては、被記録媒体の一例としての記録用紙の両面に記録を実行可能なものがある。この様な記録措置は、例えば特許文献１に示されるような、記録用紙を反転させる反転経路を有しており、第１面（おもて面）に記録の行われた記録用紙は、バックフィードされて反転経路へと入り、そして第２面（うら面）を上にして、再び記録ヘッドと対向する領域へと搬送される。
【０００３】
また、この様に記録用紙を反転させる反転経路を備えている場合、反転経路において紙ジャムが発生した場合に記録用紙を除去することが困難となる。その為、特許文献１や特許文献２に示されるように用紙搬送経路の一部を露呈させるカバー部材を設け、必要に応じてカバー部材を開放することにより用紙搬送経路の一部を露呈させて、詰まっている記録用紙を除去することができる様に構成される場合がある。
【先行技術文献】
【特許文献】
【０００４】
【特許文献１】特開２００２−５９５９９号公報
【特許文献２】特開２００７−２０３７０７号公報
【特許文献３】特開昭６３−２８６８６０号公報
【発明の概要】
【発明が解決しようとする課題】
【０００５】
上述した従来技術にあっては、カバー部材を開いても、用紙搬送経路が狭い為に当該用紙搬送経路に手を差し入れて用紙を取り出すことが困難であった。また、用紙カセットから送り出された記録用紙を湾曲反転させる湾曲反転経路と、記録の行われた記録用紙を反転させる為の湾曲反転経路とを兼用する構成を採用する場合には、経路が複雑になり、湾曲反転経路の奥深いところで紙ジャムが生じる虞がある。この様な場合、上述した従来技術のようにカバー部材を開くのみでは、奥深くで詰まっている紙にアクセスすることはより一層困難となる。
【０００６】
そこで本発明はこの様な状況に鑑み成されたものであり、その目的は、記録用紙を反転させる反転経路を備えた記録装置、特に用紙カセットから送り出された記録用紙を湾曲反転させる湾曲反転経路と、記録の行われた記録用紙を反転させる為の湾曲反転経路とを兼用する構成を採用する記録装置において、紙ジャム発生時の用紙除去作業をより一層容易に行うことにある。
【課題を解決するための手段】
【０００７】
上記課題を解決するために、本発明の第１の態様に係る記録装置は、被記録媒体に記録を行う記録装置であって、被記録媒体を収容する被記録媒体収容部と、前記被記録媒体収容部から送り出された被記録媒体が経由し、或いは被記録媒体に記録を行う記録部により記録の行われた被記録媒体が再び経由する搬送経路であって、被記録媒体を湾曲反転させて前記記録部の側へと案内する湾曲反転経路と、を備え、前記湾曲反転経路の構成部材がユニット化されて前記記録装置に対して着脱可能に設けられ、当該湾曲反転経路を有するユニットを取り外すことにより前記湾曲反転経路と接続する被記録媒体の搬送経路が露呈する構成を備えていることを特徴とする。
【０００８】
本態様によれば、被記録媒体収容部から送り出された被記録媒体を湾曲反転させる経路と、記録の行われた被記録媒体を反転させる為の経路とが一の湾曲反転経路で兼用されるので、装置の小型化及び低コスト化に資すことができる。
【０００９】
そして、この様な兼用構成において、湾曲反転経路それ自体がユニット化されて記録装置に対し着脱可能に構成されているので、ジャム処理をより一層容易に行うことができる。特に、ユニットを取り外すことにより湾曲反転経路と接続する被記録媒体の搬送経路が露呈するよう構成されているので、装置の奥深い位置でジャムが発生してもそのような位置が露呈し、ジャム処理を容易に行うことができる。
【００１０】
本発明の第２の態様は、第１の態様において、前記ユニットが開閉可能なカバーを備え、当該カバーを開放することにより前記湾曲反転経路が露呈する構成を備えていることを特徴とする。
【００１１】
本態様によれば、前記ユニットが開閉可能なカバーを備え、当該カバーを開放することにより前記湾曲反転経路が露呈するので、湾曲反転経路内に残った被記録媒体を容易に取り除くことができる。
【００１２】
本発明の第３の態様は、第２の態様において前記カバーは、前記ユニットの前記記録装置への装着時に前記記録装置内部に入り込む位置に設けられていることを特徴とする。本態様によれば、前記カバーは、前記ユニットの前記記録装置への装着時に前記記録装置内部に入り込む位置に設けられているので、不用意に湾曲反転経路へアクセスされることがなく、記録実行時の搬送異常の発生を防止できる。
【００１３】
本発明の第４の態様は、第１から第３の態様のいずれかにおいて、前記湾曲反転経路は、その内側が反転ローラーの外周面により形成され、被記録媒体が前記反転ローラーに巻回されて湾曲反転される構成を有し、前記湾曲反転経路には、前記反転ローラーとの間で被記録媒体をニップするニップローラーが設けられ、前記反転ローラーと前記ニップローラーとの圧接状態を維持したまま前記ユニットが取り外し可能に構成されていることを特徴とする。
【００１４】
本態様によれば、前記反転ローラーと前記ニップローラーとの圧接状態を維持したまま前記ユニットが取り外し可能に構成されているので、前記ユニットを取り外す際に前記反転ローラーと前記ニップローラーとによって被記録媒体（ジャムとなった被記録媒体）を把持した状態で引き出すことができ、ジャム処理を容易に行うことができる。
【００１５】
本発明の第５の態様は、第１から第４の態様のいずれかにおいて、前記湾曲反転経路と前記記録部との間に、被記録媒体を搬送する搬送手段を備え、前記ユニットは、前記記録装置の後部に設けられた開口部に対し着脱自在に設けられ、前記湾曲反転経路と接続する被記録媒体の搬送経路のうち少なくとも一つは、前記搬送手段と前記湾曲反転経路とを接続し、前記ユニットの取り外しによって前記開口部の内側に露呈することを特徴とする。
【００１６】
本態様によれば、前記ユニットの取り外しによって前記搬送手段と前記湾曲反転経路とを接続する搬送経路が前記開口部の内側に露呈するので、前記搬送経路においてジャムが生じた場合に滞留する被記録媒体を容易に除去することができる。
【００１７】
本発明の第６の態様は、第５の態様において、前記搬送手段と前記湾曲反転経路とを接続する搬送経路は略直線状の経路であって、前記ユニットの取り外しによってその全領域が露呈する構成を備えていることを特徴とする。
【００１８】
本態様によれば、前記搬送経路が略直線状の経路であり、前記ユニットの取り外しによってその全領域が露呈するので、前記搬送経路の奥深い位置でジャムが生じても、滞留する被記録媒体を容易に除去することができる。
【図面の簡単な説明】
【００１９】
【図１】本発明に係るプリンターの用紙搬送経路を示す側断面図。
【図２】本発明に係るプリンターの用紙搬送経路を示す側断面図。
【図３】本発明に係るプリンターを後方上部から見た外観斜視図であって、湾曲反転ユニットを装着した状態の図。
【図４】本発明に係るプリンターを後方上部から見た外観斜視図であって、湾曲反転ユニットを取り外した状態の図。
【図５】本発明に係るプリンターの用紙搬送経路を示す側断面図であって、湾曲反転ユニットを取り外した状態の図。
【図６】湾曲反転ユニットの外観斜視図であって、上部カバーを開放した状態の図。
【図７】本発明に係るプリンターを後方下側から見た外観斜視図であって、湾曲反転ユニットを取り外した状態の図。
【発明を実施するための形態】
【００２０】
以下、図１〜図７を参照しながら本発明の一実施形態について説明する。ここで図１及び図２は本発明に係る記録装置の一例としてのインクジェットプリンター１の用紙搬送経路を示す側断面図、図３はインクジェットプリンター１を後方上部から見た外観斜視図であって、湾曲反転ユニット３を装着した状態の図、図４はインクジェットプリンター１を後方上部から見た外観斜視図であって、湾曲反転ユニット３を取り外した状態の図である。
【００２１】
また、図５はインクジェットプリンター１の用紙搬送経路を示す側断面図であって、湾曲反転ユニット３を取り外した状態の図、図６は湾曲反転ユニット３の外観斜視図であって、上部カバー５を開放した状態の図、図７はインクジェットプリンター１を後方下側から見た外観斜視図であって、湾曲反転ユニット３を取り外した状態の図である。尚、以下では図１、図２において中間ローラー２４から排出駆動ローラー４７に至る用紙搬送経路において同図右方向を用紙搬送経路の「下流側」と言い、同図左方向を用紙搬送経路の「上流側」と言うこととする。
【００２２】
図１においてインクジェットプリンター１は装置底部に用紙給送部２を備えており、この用紙給送部２から用紙Ｐを送り出し、湾曲反転ユニット３にて湾曲反転させて記録ヘッド３７の側へと給送し、記録を行う構成を備えている。尚、図１において破線Ｒ１はこのときの用紙Ｐの搬送ルート（通過軌跡）を示している。
【００２３】
またインクジェットプリンター１は用紙Ｐの第１面（おもて面）に記録を行った後、これをバックフィード（図１及び図２において左方向）して湾曲反転ユニット３に送り込み、反転させ、第２面（うら面）を上にして再び記録ヘッド３７の側へ搬送することができるように構成されている。即ち両面記録可能に構成されており、図２において破線Ｒ２はこのときの用紙Ｐの搬送ルート（通過軌跡）を示している。
【００２４】
符号８はプリンター機構部の上部に設けられるスキャナーユニットを示しており、インクジェットプリンター１はこのスキャナーユニット８にて読み込んだ原稿画像を下部のプリンター機構部により印刷出力が可能な、所謂複合機として構成されている。
【００２５】
以下、更に用紙搬送経路の構成について詳説する。用紙給送部２は用紙カセット１１と、給送ローラー１８と、を備えている。プリンター装置本体に対して着脱可能な用紙カセット１１には図示を省略するエッジガイドが設けられており、このエッジガイドによって用紙カセット１１に収容された用紙Ｐの側端位置および後端位置が規制されるようになっている。
【００２６】
用紙カセット１１に収容された用紙Ｐの先端と対向する位置には分離斜面１２が設けられており、給送ローラー１８により送り出される用紙Ｐの先端が分離斜面１２に摺接しつつ下流側へ給送されることで、給送されるべき最上位の用紙Ｐと、これに連れられて重送されようとする次位以降の用紙Ｐとの予備的な分離が行われる。
【００２７】
給送ローラー１８は、揺動軸２０を中心にして図１及び図２の時計回り方向及び反時計回り方向に揺動可能な揺動部材１９に軸支されており、且つ、図示しない駆動モーターの動力によって回転駆動されるように設けられている。給送ローラー１８は、用紙給送時には用紙カセット１１に収容された用紙Ｐの最上位のものに接して回転することにより、最上位の用紙Ｐを用紙カセット１１から送り出す。
【００２８】
尚、用紙カセット１１において給送ローラー１８と対向する位置には摩擦パッド１３が設けられており、給送ローラー１８が用紙束に上方から圧接した際に、最下位の用紙Ｐが摩擦パッド１３に向けて押圧されることにより、用紙束ごと送り出されないように用紙束を保持する機能を果たす。
【００２９】
用紙カセット１１から上方に送り出された用紙Ｐは、湾曲反転ユニット３に入る。この湾曲反転ユニット３は、反転ローラー２２と、リタードローラー２３と、中間ローラー２４と、ガイド部材２５、２６と、を備え、ユニット化されてインクジェットプリンター１の装置本体に対し着脱自在に設けられている（図５の矢印方向：詳細は後述）。
【００３０】
反転ローラー２２は、用紙Ｐを湾曲反転させる湾曲反転経路２１の内側を形成する大径ローラーであり、本実施形態では用紙幅方向（図１及び図２の紙面表裏方向）において中心位置、即ち本実施形態に係るインクジェットプリンター１の給送基準位置に１つ、配置されている（図６参照）。尚、湾曲反転経路２１の外側は、ガイド部材２６や、更に図１及び図２では図示を省略するガイド部材等により形成される。また、湾曲反転経路２１の内側は、反転ローラー２２のほか、ガイド部材２８により形成される（図６）
反転ローラー２２は、図示しない駆動モーターの動力により回転駆動されるよう設けられており、図１及び図２の時計回り方向に回転することにより、用紙Ｐを巻回しながら下流側へと搬送する。
【００３１】
リタードローラー２３は所定の回転摩擦抵抗が付与された状態で反転ローラー２２に対して圧接可能に設けられており、反転ローラー２２との間で用紙Ｐをニップすることにより、給送されるべき最上位の用紙Ｐと、これに連れられて重送されようとする次位以降の用紙Ｐとを分離する。
【００３２】
尚、この付近の用紙給送経路には図示を省略する用紙戻しレバーが設けられており、リタードローラー２３によって進行が止められた次位以降の用紙Ｐは、この用紙戻しレバーによって用紙カセット１１へと戻されるように構成されている。
【００３３】
中間ローラー２４は自由回転可能なローラーであり、反転ローラー２２との間で用紙Ｐをニップすることにより、反転ローラー２２による用紙送りを補助する。ガイド部材２５は、反転ローラー２２と搬送駆動ローラー４０との間に位置し、第１面に記録がおこなわれた用紙Ｐがバックフィードされる際に当該用紙Ｐを湾曲反転経路２１に合流する位置（符号Ａで示す）に案内する案内経路２７と、用紙給送部２から送り出された用紙Ｐ及び案内経路２７を通って反転させられる用紙Ｐのいずれもが経由する上側経路とを形成する。
【００３４】
以上のように、湾曲反転経路２１は、用紙給送部２から送り出された用紙Ｐを反転させる機能と、第１面に記録がおこなわれた用紙Ｐを反転させる機能との双方を担うので、第１面に記録がおこなわれた用紙Ｐを反転させる専用の反転経路を設ける必要がなく、小型化及び低コスト化が図られている。
【００３５】
次に、中間ローラー２４の下流側には、搬送駆動ローラー４０と搬送従動ローラー４１とを備えて構成された搬送手段が設けられている。搬送駆動ローラー４０は、本実施形態では用紙幅方向に長い金属軸の表面に耐摩耗性粒子が付着されて成り、図示を省略する駆動モーターにより回転駆動される。搬送従動ローラー４１は、本実施形態では樹脂材料により形成され、搬送駆動ローラー４０の長手方向に沿って適宜の間隔を空けて複数配置される。
【００３６】
搬送従動ローラー４１は、ローラー支持体としての紙案内部材３０に自由回転可能に軸支されるとともに、搬送駆動ローラー４０に対して圧接するよう設けられ、搬送駆動ローラー４０との間で用紙Ｐをニップする。
【００３７】
搬送従動ローラー４１を支持する紙案内部材３０は、揺動軸３０ａを介してフレーム３３に揺動可能に支持されるとともに、フレーム３３と紙案内部材３０との間で付勢力を発揮する引っ張りばね３１により、搬送従動ローラー４１が搬送駆動ローラー４０に圧接する方向に付勢された状態に設けられる。この紙案内部材３０は、本実施形態では搬送駆動ローラー４１の軸線方向に沿って複数（本実施形態では３つ）配置される。
【００３８】
尚、紙案内部材３０は、搬送従動ローラー４１を軸支するほか、上流側から給送される用紙Ｐを搬送駆動ローラー４０と搬送従動ローラー４１とのニップ点に案内する機能を果たす。
【００３９】
次に、搬送駆動ローラー４０の下流側には、インクジェット記録ヘッド３７と、紙案内部材４５とが上下に対向配置されている。インクジェット記録ヘッド３７はキャリッジ３６の底部に設けられ、このキャリッジ３６は前後に配置されたフレーム３３、３４にガイドされながら、図示を省略する駆動モーターの動力を受けて主走査方向（図１及び図２の紙面表裏方向）に往復動するよう設けられる。尚、このキャリッジ３６には図示を省略するンクカートリッジが収容される。
【００４０】
紙案内部材４５においてインクジェット記録ヘッド３７と対向する面には用紙搬送方向に延びるリブ４５ａ、４５ｂ、４５ｃが、用紙搬送方向の上流側から下流側に向かってこの順で所定間隔で配置され、また各リブが主走査方向に適宜の間隔を置いて複数設けられている（主走査方向の配置は図示せず）。用紙Ｐは、これらリブにより支持され、インクジェット記録ヘッド３７との距離が規定される。
【００４１】
次に、インクジェット記録ヘッド３７と紙案内部材４５とが対向する領域の下流側には用紙浮きを防止する補助ローラー４６が設けられ、更にその下流側には排出駆動ローラー４７と排出従動ローラー４８とにより構成された用紙排出手段が設けられている。排出駆動ローラー４７はゴムローラーにより構成され、図示を省略する駆動モーターにより回転駆動される。排出従動ローラー４８は排出駆動ローラー４７に軽く弾接するよう設けられた拍車であり、排出駆動ローラー４７との間で用紙Ｐをニップする。これらローラーにより、記録の行われた用紙Ｐは、図示を省略するスタッカへむけて排出される。
【００４２】
尚、搬送駆動ローラー４０は正逆回転可能に構成されており、即ち用紙Ｐをインクジェット記録ヘッド３７の側へ搬送する第１方向（図１及び図２において右方向：下流側方向）と、湾曲反転経路を有する湾曲反転ユニット３の側へ搬送する第２方向（図１および図２において左方向：上流側方向）の双方向に用紙Ｐを搬送可能である。また排出駆動ローラー４７についても同様に、正逆回転可能に構成されており、上記第１方向、第２方向いずれの方向にも用紙Ｐを搬送可能である。
【００４３】
以上がインクジェットプリンター１の用紙搬送経路の構成であり、以下、図３〜図７を参照しながら湾曲反転ユニット３について更に詳説する。  
湾曲反転ユニット３は、湾曲反転経路２１の構成部材である反転ローラー２２、リタードローラー２３、中間ローラー２４、ガイド部材２５、２６、のこれらを含み、更にこれら構成部材の周辺部材も含めてユニット化されたものである。
【００４４】
湾曲反転ユニット３は、図３及び図４に示すようにインクジェットプリンター１の装置本体１ａにおいて後方側に設けられた開口部１ｂに、着脱自在に設けられている。  
開口部１ｂの内側には位置決めピン（図示せず）が設けられており、この位置決めピンに、湾曲反転ユニット３の本体３ａに設けられた凹部３ｂが嵌合することにより、湾曲反転ユニット３の装着位置が定まるようになっている。尚、前記位置決めピン及び凹部３ｂは、湾曲反転ユニット３の両サイド先端部に配置されている（図７参照）。
【００４５】
また、開口部１ｂの内側にはガイド手段が設けられており、このガイド手段により、湾曲反転ユニット３を開口部１ｂに押し込む際に湾曲反転ユニット３が開口部１ｂ内側の構成要素に衝突することなく、円滑に装着位置に案内されるようになっている。
【００４６】
湾曲反転ユニット３は、図５及び図６に示すようにそのユニット本体３ａの上部に開閉自在な上部カバー５を有しており、上部カバー５には弾性片５ａと係止突起５ｂとが形成されている。係止突起５ｂは、湾曲反転ユニット３が装置本体１ａに装着された際に開口部１ｂ内側の係止突起２９に係止することで、湾曲反転ユニット３を装置本体１ａに固定する。尚、弾性片５ａを下方に押し下げることで、係止突起５ｂと係止突起２９との係合状態を解除できるようになっている。
【００４７】
また上部カバー５には、つまみ５ｃが形成されており、このつまみ５ｃをつまんで上方に押し上げることで図６に示すように上部カバー５を開放できるようになっている。上部カバー５を開放させると、ユニット内部、具体的には反転ローラー２２、リタードローラー２３、中間ローラー２４、のこれらが露呈する様になっている。
【００４８】
尚、上部カバー５は、湾曲反転ユニット３の装着状態では開口部１ｂの内部に入り込む位置に設けられており、湾曲反転ユニット３の装着状態では上部カバー５の回動軌跡が開口部１ｂ内側の構成部材と干渉して上部カバー５が開けない様になっているので、不用意に湾曲反転経路２１へアクセスされることがなく、通常記録実行時の搬送異常の発生を防止できる。
【００４９】
湾曲反転ユニット３は、以上の通り湾曲反転経路２１の構成部材によりユニット化されており、図５に示すように湾曲反転経路２１それ自体がインクジェットプリンター１の装置本体から取り外し可能であるので、紙ジャムが生じた場合に詰まった紙を容易に除去することができる。尚、湾曲反転ユニット３の内部で詰まった紙は、開閉可能な上部カバー５を開放することにより、容易に除去できる。
【００５０】
また本実施形態では、反転ローラー２２と、ニップローラーとしてのリタードローラー２３との圧接状態を維持したまま、湾曲反転ユニット３が取り外し可能であるので、両ローラーによって詰まった用紙を把持しつつ引き出すことができ、ジャム処理がより一層容易となっている。
【００５１】
更に、湾曲反転ユニット３を取り外すと、湾曲反転経路２１と接続する用紙搬送経路が開口部１ｂの内側に露呈するので、装置の奥深い位置で紙ジャムが発生しても、詰まった紙を容易に取り除くことができる。
【００５２】
特に本実施形態では、湾曲反転経路２１と接続する搬送経路である案内経路２７（図１）が略直線状の経路であって、湾曲反転ユニット３の取り外しによってその全領域が開口部１ｂの内側に露呈するので、案内経路２７の奥深い位置でジャムが生じても、滞留する用紙を容易に除去することができる。  
本実施形態は以上の通りであるが、本発明は上記実施形態に限られず、種々の実施形態を採用可能であることは言うまでもない。
【符号の説明】
【００５３】
１  インクジェットプリンター、２  用紙給送部、３  湾曲反転ユニット、３ａ  ユニット本体、３ｂ  凹部、５  上部カバー、５ａ  弾性片、５ｂ  係止突起、５ｃ  つまみ、８  スキャナーユニット、１１  用紙カセット、１２  分離斜面、１３  摩擦パッド、１８  給送ローラー、１９  揺動部材、２０  揺動軸、２１  湾曲反転経路、２２  反転ローラー、２３  リタードローラー、２４  中間ローラー、２５、２６  ガイド部材、２７  案内経路、２９  係止突起、３０  紙案内部材、３１  引っ張りばね、３３、３４  フレーム、３６  キャリッジ、３７  インクジェット記録ヘッド、４０  搬送駆動ローラー、４１  搬送従動ローラー、４５  紙案内部材、４５ａ〜４５ｂ  リブ、４６  補助ローラー、４７  排出駆動ローラー、４８  排出従動ローラー、Ａ  湾曲反転経路と案内経路の合流位置、Ｐ  記録用紙
【図１】
2010253754.tif 000003
【図２】
2010253754.tif 000004
【図３】
2010253754.tif 000005
【図４】
2010253754.tif 000006
【図５】
2010253754.tif 000007
【図６】
2010253754.tif 000008
【図７】
2010253754.tif 000009